(57)【特許請求の範囲】
【請求項１】
相互に略平行に向き合うように、パレット上に装着される一対の第１側壁パネルと、
前記一対の第１側壁パネルの両側端部を連結し、相互に略平行に向き合うように、前記パレット上に移動自在に装着される一対の第２側壁パネルとを有し、
前記一対の第２側壁パネルのうちの少なくとも一方が、前記一対の第１側壁パネルが前記パレット上に立てられた状態で、これら第１側壁パネルの側端部に着脱自在に係合する係合手段を具備し、しかも、当該係合手段による係合が解除された状態で、コンテナの外側に開き、コンテナの底板に沿ってスライド移動自在にパレット上に装着してあることを特徴とするコンテナ。
【請求項２】
前記一対の第１側壁パネルの内側には、コンテナ内に収容されるロール製品の軸端から突出している支軸を受ける支軸保持用凹部と、支軸の軸方向移動を制限するストッパ部材とが形成してある請求項１に記載のコンテナ。
【発明の詳細な説明】
【０００１】
【発明の属する技術分野】
本発明は、たとえばフィルム、シート、紙、織物などの帯状物を支軸の回りに巻回したロール製品などを収容して輸送するために適したコンテナに関する。
【０００２】
【従来の技術】
従来、フィルム、シート、紙、織物などの帯状物を支軸（たとえば紙管）の回りに巻回したロール製品を輸送する場合には、ロール製品を１本づつ包装シートで包んで一次包装を行い、このようにして包装したロール製品を個別に、あるいは数本づつまとめて木箱または段ボール箱から成るコンテナに収容していた。
【０００３】
しかしながら、従来のコンテナは、木箱または段ボール箱などで構成してあるため、多数本のロール製品をまとめて収容する場合に、ロール製品同士が擦れて損傷するおそれがあると言う課題を有している。したがって、木箱や段ボール箱に入れる前に、ロール製品を一つづつ一次包装する必要があり、その包装に要する労力と時間が多大であると共に、包装材料コストが嵩むという課題も有する。また、ロール製品の重量が大きい場合には、コンテナ内に複数のロール製品を積み重ねて収納した場合に、その上に積み重ねられたロール製品の荷重が、下にあるロール製品に作用し、製品を変形させるおそれがあるという課題も有する。
【０００４】
さらに、従来の木箱や段ボールから成るコンテナでは、一度の輸送後に再利用して用いることが困難であり、使い捨てとなり、資源の有効理由の観点から好ましくないものであった。
【０００５】
そこで、合板パネルや合成樹脂パネルなどで構成された分解自在コンテナが開発されている。
【０００６】
【発明が解決しようとする課題】
しかしながら、従来の分解自在コンテナでは、コンテナ内部からロール製品を出し入れする際に、ロール製品をコンテナの側壁パネルの上端まで持ち上げないと、ロール製品の出し入れができない構造であった。このため、天井が低い場所でロール製品の出し入れを行う場合や、ロール製品を持ち上げるためのリフトの上下ストロークが短い場合などには、コンテナ内部からロール製品を出し入れすることが困難であった。
【０００７】
本発明は、このような実状に鑑みてなされ、天井が低い場所で製品の出し入れを行う場合や、製品を持ち上げるためのリフトの上下ストロークが短い場合などでも、良好に製品の出し入れが可能で、しかも繰返し使用が出来るコンテナを提供することを目的とする。
【０００８】
【課題を解決するための手段】
上記目的を達成するために、本発明に係るコンテナは、相互に略平行に向き合うように、パレット上に装着される一対の第１側壁パネルと、前記一対の第１側壁パネルの両側端部を連結し、相互に略平行に向き合うように、前記パレット上に移動自在に装着される一対の第２側壁パネルとを有し、前記一対の第２側壁パネルのうちの少なくとも一方が、前記一対の第１側壁パネルが前記パレット上に立てられた状態で、これら第１側壁パネルの側端部に着脱自在に係合する係合手段を具備し、しかも、当該係合手段による係合が解除された状態で、コンテナの外側に開き、コンテナの底板に沿ってスライド移動自在にパレット上に装着してあることを特徴とする。
なお、本発明において、コンテナとは、製品を内部に収容できるものを意味し、ラックなども含む概念で用いる。また、コンテナ内に収容される製品としては、ロール製品を主対象とするが、ロール製品に限定されるものではなく、その他の製品であっても良い。また、コンテナ内部に収容される製品の数は、１個でも複数であっても良い。
【０００９】
本発明に係るコンテナにおいて、前記一対の第１側壁パネルの内側には、コンテナ内に収容されるロール製品の軸端から突出している支軸を受ける支軸保持用凹部と、支軸の軸方向移動を制限するストッパ部材とが形成してあることが好ましい。
【００１０】
前記一対の第１側壁パネルが、前記パレット上で、コンテナの内側に折り畳み自在に装着してあることが好ましい。
【００１１】
各第１側壁パネルには、その両側端部に略垂直に伸びる支柱と、これら支柱を連結するように略水平に伸びる補強用棒材とが具備してあることが好ましい。この補強用棒材の内側に、前記支軸保持用凹部とストッパ部材とが形成してあることが好ましい。
【００１２】
前記パレットの四角部には、コーナー金具が具備してあることが好ましい。前記第１側壁パネルの支柱が、当該コーナー金具に対して回動自在に、且つ第１側壁パネルがパレットに対して立てられた状態で回動が制限されるように装着してあることが好ましい。
【００１３】
前記一対の第２側壁パネルのうちの少なくとも一方は、前記一対の第１側壁パネルの側端上部を連結するように略水平に伸び、両端部に前記係合手段が装着してある上端枠棒材と、第２側壁パネルの下端部に装着されて前記上端枠棒材と略平行に伸び、前記パレットのコーナー金具に対して、回転自在に、且つ前記係合手段による係合が解除された状態で、コンテナの底板に沿ってスライド移動可能に保持してある下端枠棒材とを有することが好ましい。
【００１４】
第２側壁パネルの側端部は、補強材により補強してあることが好ましい。また、前記上端枠棒材および下端枠棒材の両端部は、第２側壁パネルの側端部から突出するように構成しても良い。
【００１５】
本発明に係るコンテナは、防塵カバーで覆われることが好ましい。防塵カバーとしては、特に限定されないが、コンテナの上部を覆う上方カバー部と、４つの側壁パネルの外側を覆う４つの側方カバー部とを有するものが好ましい。また、４つの側壁カバー部の側端部には、隣接する側方カバー部の側端部と着脱自在に連結される線状ファスナーが具備してあることが好ましい。さらに、側方カバーの下端部内側には、コンテナの下端部に具備してある第１面状ファスナーに対して着脱自在に接続される第２面状ファスナーが具備してあることが好ましい。なお、線状ファスナーとは、一の面の一辺と他の面の一辺とを線状に着脱自在に接続するファスナーであり、面状ファスナーとは、面と面とを接触させて着脱自在に接続するファスナーを意味する。
【００１６】
【作用】
本発明に係るコンテナでは、コンテナの内部から製品を出し入れする場合には、第１側壁パネルの側端部との係合を解除し、一対の第２側壁パネルのうちの少なくともいずれか一方を、コンテナの外側に開き、コンテナの底板に沿って、コンテナの底部にスライド移動させる。その結果、コンテナの一方の第２側壁パネルが取り外され、側方開口部が形成され、コンテナの上方開口部から製品を取り出すことなく、コンテナの側方開口部から製品を取り出すことができる。
【００１７】
特にコンテナの内部にロール製品を収容する場合には、一対の第１側壁パネルの内側に、ロール製品の軸端から突出している支軸を受ける支軸保持用凹部が形成してあるので、ロール製品を良好に保持することができる。また、ロール製品の支軸の軸方向移動を制限するストッパ部材が支軸保持用凹部に形成してあるので、ロール製品がコンテナの内部で軸方向に移動することがなく、ロール製品が側壁パネルに衝突して側壁パネルまたは製品に損傷を与えることがない。
【００１８】
また、各支軸保持用凹部が各第１側壁パネルの内側に形成してあることから、コンテナ内部でロール製品を、側壁パネルの上端まで持ち上げることなく、支軸保持用凹部を構成する部材よりも僅かに上にリフト手段などで持ち上げるのみで、そのロール製品をコンテナの側方開口部から取り出すことができる。また、ロール製品をコンテナの内部に収容するには、側壁パネルの上端まで持ち上げることなく、取り外された第２側壁パネルにより形成された側方開口部から収容することができる。したがって、天井が低い場所でロール製品の出し入れを行う場合や、ロール製品を持ち上げるためのリフトの上下ストロークが短い場合などでも、コンテナ内へのロール製品の出し入れが容易となる。
【００１９】
【発明の実施の形態】
以下、本発明を、図面に示す実施形態に基づき説明する。
【００２０】
図１は本発明の１実施形態に係るコンテナの斜視図、図２はパレットに対する第１側壁パネルの取り付け状態を示す要部斜視図、図３は第１側壁パネルの内側に形成された支軸保持用凹部とストッパ部材との関係を示す要部斜視図、図４は図３に示すIV−IV線に沿う要部断面図、図５は第２側壁パネルの取り付け状態を示す要部斜視図、図６は防塵カバーの斜視図、図７は本発明の他の実施形態に係る第２側壁パネルの係合手段の例を示す要部斜視図である。
【００２１】
図１に示すように、本実施形態に係るロール製品輸送用コンテナ２は、支軸４が両端部から突出しているロール製品６を収容して輸送するためのコンテナであって、底部にパレット８を有する。本実施形態のパレット８には、フォークリフトの爪部が差し込まれるリフト用孔１０が形成してある。パレット８は、たとえばステンレスなどの金属で構成してあることが好ましいが、プラスチックなどの金属以外の材質で構成することも可能である。パレット８の長辺方向Ｘの略中間位置には、中央補強材９が配置される。中央補強材９は、パレット８と一体に成形してあり、コンテナ２の保管や運送中などにパレット８の底部がたわむことを防止する。
【００２２】
パレット８の上には、たとえば金属板や合板などで構成された底板１２が設置される。また、このパレット８の長辺方向Ｘと短辺方向Ｙの上には、相互に略平行に向き合う一対の第１側壁パネル１４，１４と、これら第１側壁パネル１４，１４の両側端部を連結するように、しかも相互に略平行に向き合う一対の第２側壁パネル１６，１６とが装着される。本実施形態では、第１側壁パネル１４，１４は、パレット８の上で、ロール製品６の支軸４の軸心に対して略直角となるように立設される。また、第２側壁パネル１６，１６は、パレット８の上で、ロール製品６の支軸４に対して略平行となるように立設される。
【００２３】
パレット８の上で、第１側壁パネル１４，１４および第２側壁パネル１６，１６で囲まれた空間が、ロール製品６を収容するための内部空間１８となる。本実施形態では、コンテナ２の内部には、単一のロール製品６が収容される。
【００２４】
本実施形態では、各第１側壁パネル１４は、それぞれ一枚または複数枚の板材で構成してあり、後述するような構造を採用することにより、パレット８に対して内側に折り畳み自在となっている。また、各第２側壁パネル１６は、それぞれ一枚または複数枚の板材で構成してあり、後述するような構造を採用することにより、底板１２の上にスライドして押し込むことや、または内側に倒して収納することが可能になっている。
【００２５】
図１に示すように、各第１側壁パネル１４には、その両側端部に略垂直に伸びる支柱２６，２６と、これら支柱２６，２６を連結するように略水平に伸びる第１補強用棒材２４とが具備してある。また、第１側壁パネル１４の下端縁部に沿って第２補強用棒材２８が第１側壁パネル１４に対して固定してある。これら第１補強用棒材２４と第２補強用棒材２８とは、略中央部において、垂直方向に伸びる第３補強用棒材３０により連結してある。
【００２６】
図３に示すように、第１補強用棒材２４のコンテナ内側には、第４補強用棒材４２が接続してある。この第４補強用棒材４２の上に、所定間隔で一対の側板４４，４４が略垂直に固定してあり、これら側板４４，４４の内側に、支軸保持用凹部４８が形成してあるＵ字形状に加工された保持板４６が接続してある。また、側板４４，４４の外側には、第４補強用棒材４２の上に固定してある補強板５０が接続してある。なお、図４に示すように、第４補強用棒材４２の下部は、第３補強用棒材３０に固定してある補強リブ５６に接続してある。
【００２７】
図３，４に示すように、側板４４，４４の間に形成された支軸保持用凹部４８の上に、ロール製品６の支軸４が載せられて保持されるようになっている。また、側板４４，４４の間には、第４補強用棒材４２の上に固定してあるストッパ部材５２が掛け渡され、支軸４がコンテナ２の外側に軸方向に移動することを制限している。ストッパ部材５２の上端は、支軸４の軸方向外側に向けて開くように折り曲げてあり、ロール製品６の支軸４を支軸保持用凹部４８内に載せるときの案内になるようになっている。なお、図では省略してあるが、ロール製品６の反対側の支軸４を受ける構造も、図３および４と同様である。
【００２８】
ロール製品６の支軸４が支軸保持用凹部４８内に載せられる結果、ロール製品６の荷重は、第４補強用棒材４２、第１補強用棒材２４，補強リブ５６、第３補強用棒材３０、第２補強用棒材２８および支柱２６に作用することになる。第１側壁パネル１４自体には、ロール製品６の荷重は、ほとんど作用しない。
【００２９】
図１に示すように、本実施形態では、第１側壁パネル１４の上部中央部には、垂直方向に第１補強用棒材２４まで伸びる切り欠き１５が形成してあり、そこからコンテナ２の内部を観察可能にしてあり、この場合は、天ビン型の製品用リフトの使用も可能である。なお、本発明では、この切り欠きは必ずしもなくても良い。
【００３０】
本実施形態において、側壁パネル１４は、たとえば金属板で構成してあり、支柱２６および補強用棒材２４，２８，３０，４２は、たとえば断面矩形または円形の金属パイプ（中空または中実）で構成してあり、図３および４に示す側板４４、補強板５０、保持板４６、ストッパ部材５２は、金属板で構成してあり、これらの接合または固定は、溶接などにより行われる。
【００３１】
図１に示すように、パレット８の四角部には、コーナー金具２０が装着してあり、このコーナー金具２０の上部に、第１側壁パネル１４の両側端部に固定してある支柱２６の下端部が装着してある。コーナー金具２０の下端部には、段積み金具２２が装着してあり、段積み金具２２の下に、他のコンテナ２の支柱２６の上端が差し込み可能（図示せず）になっており、コンテナ２を上下方向に段積み可能になっている。
【００３２】
図２に示すように、底板１２の短辺側縁部上には、断面「コ」字形状のアングル材３２が配置してあり、その上に、第１側壁パネル１４の第２補強用棒材２８が着脱可能に載せられる。支柱２６の下端部には、支柱２６から短辺方向Ｙに突出する回動ピン３６が溶接などで固定してあり、この回動ピン３６が、コーナー金具２０の上部に形成してある長孔３４内に上下方向移動自在に且つ回転自在に挿入してある。また、回動ピン３６の上部に位置する支柱２６の側部には、この支柱２６から短辺方向Ｙに突出するストッパ用ピン３８が溶接などで固定してあり、コーナー金具２０の上端部に形成してあるストッパ用切り欠き４０に対して係合可能にしてある。
【００３３】
本実施形態では、第１側壁パネル１４が支柱２６と共に、底板１２に対して略直角に立てられた状態で、支柱２６のストッパ用ピン３８がコーナー金具２０の上端部に形成してあるストッパ用切り欠き４０に対して係合し、第１側壁パネル１４がコンテナの内側に回動することを制限している。第１側壁パネル１４を支柱２６と共に、矢印Ａに示すように、上方に持ち上げれば、ストッパ用ピン３８も持ち上がり、コーナー金具２０のストッパ用切り欠き４０との係合状態が解除される。同時に、回動ピン３６も長孔３４に沿って持ち上がる。その結果、第１側壁パネル１４は、支柱２６と共に、矢印Ｂに示すように、コンテナ２の内側に向けて回動可能となり、底板１２の上に折り畳むことが可能になる。なお、図２では、１本の支柱２６についてのみ図示してあるが、他の３本の支柱２６も同様である。
【００３４】
図１および５に示すように、各第２側壁パネル１６の両側端部には、それぞれ補強用棒材５８が溶接などで固定してある。第２側壁パネル１６の上端部には、パネル１６の両側端部から突出して第１側壁パネル１４，１４の側端上部を連結するように略水平に伸びる上端枠棒材６０が溶接などで固定してある。また、第２側壁パネル１６の下端部には、パネル１６の両側端部から突出して上端枠棒材６０と略平行に伸び、パレット８のコーナー金具２０に対して回転自在に、且つコンテナ２の底板１２に沿ってスライド移動可能に保持してある下端枠棒材６８が溶接などで固定してある。
【００３５】
上端枠棒材６０の両端部には、係合手段としての係合用ピン６２がそれぞれ溶接などで固定してある。係合用ピン６２は、第１側壁パネル１４の両側端部に固定してある支柱２６の上端部に装着してある係合用金具６４の係合孔６６内に係合可能になっている。第２側壁パネル１６の自重により、上端枠棒材６０の係合用ピン６２が係合用金具６４の係合孔６６内に係合している状態では、図５に示すように、第２側壁パネル１６の下端部に固定してある下端枠棒材６８の両端部は、それぞれ対応するコーナー金具２０の内側に形成してある係合片６９の係合凹所７０内に係合し、下端枠棒材６８は、底板１２に沿って矢印Ｆ方向にはスライド移動しないようになっている。係合片６９は、コーナー金具２０と一体に成形しても良いし、別に成形し、コーナー金具２０に対して溶接などで接合しても良い。
【００３６】
上端枠棒材６０の係合用ピン６２が係合用金具６４の係合孔６６内に係合することで、第１側壁パネル１４，１４の側端部が連結され、第１側壁パネル１４がコンテナ２の内側に倒れることを防止する機能もある。
【００３７】
第２側壁パネル１６を矢印Ｄ方向に沿って上方に持ち上げると、係合用ピン６２が係合用金具６４の係合孔６６から外れて係合状態が解除され、図５に示すように、第２側壁パネル１６は、下端枠棒材６８を中心として、矢印Ｅに示すように、コンテナ２の外側に回動可能になる。同時に、下端枠棒材６８の両端部は、係合片６９の係合凹所７０内を下方向に落下し、開口部７２を通して底板１２に沿って矢印Ｆ方向にスライド移動可能になる。したがって、側壁パネル１６を上から押すことにより、側壁パネル１６は、底板１２の上に沿ってスライド移動し、底板１２の上に押し込まれる。又、内側に倒しても、収納することが可能である。
【００３８】
なお、図５では、第２側壁パネル１６の上端枠棒材６０および下端枠棒材６８の一方の端部側にのみ係合用金具６４と係合片６９とを図示したが、他方の端部でも同様である。
【００３９】
本実施形態では、第２側壁パネル１６は、たとえば金属板で構成してあり、補強用棒材５８、上端枠棒材６０および下端枠棒材６８は、金属パイプ（中空または中実）などで構成してある。ただし、補強用棒材５８および上端枠棒材６０は、断面矩形のパイプ状部材で良いが、下端枠棒材６８は、断面円形のパイプ状部材であることが好ましい。
【００４０】
図１に示すコンテナ２には、隙間がたくさんあるため、このコンテナ２の内部にロール製品６を収容して輸送する場合には、コンテナ２の上に、図６に示す防塵カバー７４を取り付けることが好ましい。図６に示す防塵カバー７４は、たとえば軽量な合成樹脂またはゴム材で構成してあり、コンテナ２の上部を覆う上方カバー部７６と、４つの側壁パネル１４，１６の外側を覆う４つの側方カバー部７８とを有する。また、４つの側壁カバー部７８の側端部には、隣接する側方カバー部７８の側端部と着脱自在に連結される線状ファスナー８０が具備してあることが好ましい。さらに、側方カバー７８の下端部内側には、図１に示すコンテナ２の底板１２の側端面に具備してある第１面状ファスナー８２に対して着脱自在に接続される第２面状ファスナー８４が具備してあることが好ましい。第１面状ファスナー８２および／または第２面状ファスナー８４は、周方向に沿って連続して形成しても良いし、断続的に形成しても良い。
【００４１】
コンテナ２の内部からロール製品６を取り出す際には、まず図６に示す防塵カバー７４をコンテナから取り外す。次に、図１および５に示す、いずれか一方の第２側壁パネル１６を矢印Ｄに沿って上方に持ち上げる。その結果、係合用ピン６２が係合用金具６４の係合孔６６から外れ、図５に示すように、第２側壁パネル１６は、下端枠棒材６８を中心として、矢印Ｅに示すように、コンテナ２の外側に回動可能になる。同時に、下端枠棒材６８の両端部は、係合片６９の係合凹所７０内を下方向に落下し、開口部７２から底板１２に沿って矢印Ｆ方向にスライド移動可能になる。したがって、側壁パネル１６を上から押すことにより、側壁パネル１６は、底板１２の上に沿ってスライド移動し、ロール製品６の下で底板１２の上に押し込まれ、コンテナ２の一方の第２側壁パネル１６が取り外され、側方開口部が形成される。
【００４２】
そして、図示省略してあるリフト手段により、コンテナ２の内部でロール製品６を、側壁パネルの上端まで持ち上げることなく、図３に示す支軸保持用凹部４８を構成する側板４４よりも僅かに上に持ち上げる。その後、ロール製品６を横に移動し、第２側壁パネル１６が取り外されて形成されたコンテナの側方開口部から取り出せばよい。なお、ロール製品６を持ち上げた状態で、コンテナ２を横にずらしても良い。
【００４３】
ちなみに従来では、コンテナ２の側壁パネル１４または１６の高さ以上に、ロール製品６を持ち上げないと、コンテナ２の内部からロール製品６を取り出すことはできなかった。
【００４４】
また、コンテナ２の内部からロール製品６を取り出した後は、コンテナ２の他方の第２側壁パネル１６も同様にして、底板１２の上にスライド移動させて、２つの第２側壁パネルを折り重ねる。そして、図２に示すように、第１側壁パネル１４を支柱２６と共に、矢印Ａに示すように、上方に持ち上げれば、ストッパ用ピン３８も持ち上がり、コーナー金具２０のストッパ用切り欠き４０との係合状態が解除される。同時に、回動ピン３６も長孔３４に沿って持ち上がる。その結果、第１側壁パネル１４は、支柱２６と共に、矢印Ｂに示すように、コンテナ２の内側に向けて回動可能となり、底板１２の上に折り畳むことができる。他の第１側壁パネル１４も同様にして折り畳む。
【００４５】
その結果、パレット８の底板１２の上には、二つの第２側壁パネル１６，１６および二つの第１側壁パネル１４，１４が折り重なり、コンテナ２を折り畳み、嵩が小さい状態で、コンテナ２を輸送元へ送り返し、再利用することができる。したがって、使用済みのコンテナ２の輸送効率が増大すると共に、廃棄処分となるゴミが少なくなる。
【００４６】
なお、本発明は、上述した実施形態に限定されるものではなく、本発明の範囲内で種々に改変することができる。
【００４７】
たとえば、第２側壁パネル１６の上端枠棒材６０の両端部と第１側壁パネル１４の支柱との係合手段は、上述した実施形態に限らず、その他の係合手段を採用することができる。たとえば図７に示すように、第２側壁パネル１６の上端枠棒材６０の両端部には、係合手段としての係合孔６６ａを形成し、第１側壁パネル２６の支柱２６には、係合孔６６ａ内に係合する係合凸部６２ａが形成してある金具６４ａを取り付けても良い。この実施形態の場合にも、前記実施形態と同様な作用効果を奏する。
【００４８】
また、上述した実施形態では、コンテナ２の内部には、単一のロール製品６が収容されるように構成したが、複数のロール製品６を収容可能に構成することも可能である。
【００４９】
また、上述した実施形態では、コンテナ２を主として金属で構成したが、金属以外の木材や合成樹脂などで構成することも可能である。
【００５０】
さらに、上述した実施形態では、一対の第２側壁パネル１６，１６を同じ構成とし、いずれの第２側壁パネル１６，１６も、コーナー金具２０に対して下端枠棒材６８を中心として回動自在に、且つコンテナ２の底板１２に沿ってスライド移動可能に保持してある。しかし、本発明では、少なくとも一方の第２側壁パネル１６のみを、このような構成とし、他の第２側壁パネルについては、コンテナ２の内側に折り畳み自在な構成としたり、その他の組立可能または分解可能な構成としても良い。
【００５１】
【発明の効果】
以上説明してきたように、本発明によれば、天井が低い場所で製品の出し入れを行う場合や、製品を持ち上げるためのリフトの上下ストロークが短い場合などでも、良好に製品の出し入れが可能なコンテナを実現することができる。
【図面の簡単な説明】
【図１】図１は本発明の１実施形態に係るコンテナの斜視図である。
【図２】図２はパレットに対する第１側壁パネルの取り付け状態を示す要部斜視図である。
【図３】図３は第１側壁パネルの内側に形成された支軸保持用凹部とストッパ部材との関係を示す要部斜視図である。
【図４】図４は図３に示すIV−IV線に沿う要部断面図である。
【図５】図５は第２側壁パネルの取り付け状態を示す要部斜視図である。
【図６】図６は防塵カバーの斜視図である。
【図７】図７は本発明の他の実施形態に係る第２側壁パネルの係合手段の例を示す要部斜視図である。
【符号の説明】
２…  コンテナ
４…  支軸
６…  ロール製品
８…  パレット
１２…  底板
１４…  第１側壁パネル
１６…  第２側壁パネル
１８…  内部空間
２０…  コーナー金具
２６…  支柱
４８…  支軸保持用凹部
５２…  ストッパ部材
６０…  上端枠棒材
６２…  係合用ピン
６４…  係合用金具
６６…  係合孔
６８…  下端枠棒材
６９…  係合片
７０…  係合凹所
【図１】
0003993934.tif 000002
【図２】
0003993934.tif 000003
【図３】
0003993934.tif 000004
【図４】
0003993934.tif 000005
【図５】
0003993934.tif 000006
【図６】
0003993934.tif 000007
【図７】
0003993934.tif 000008